(57)【要約】【課題】  押圧用のナットを使用して強度的に強い即ち厚みのある円筒状のナットカバーであっても簡単に装着することができるナットカバーの装着方法を提供すること。【解決手段】  緊締用のナットを螺着すべきボルトに、円筒状のナットカバーの端部が嵌入し、同ナットカバーが被着物方向に押されることによってその端部が中心方向に絞られるような傾斜面を有する溝を周設したリング状のベースワッシャーを嵌着し、次いで同ボルトにナットを螺着緊締した後、該ナットの外径よりも内径の大きい円筒状のナットカバーを同ナットに被せ、該ナットカバーを前記ベースワッシャー方向に押すための押圧用ナットをボルトの端部から螺合することによりナットカバーをナットに装着するようにしたことを特徴とする。【選択図】図３
2009058121.tif 000002
【特許請求の範囲】
【請求項１】
緊締用のナットを螺着すべきボルトに、円筒状のナットカバーの端部が嵌入し、同ナットカバーが被着物方向に押されることによってその端部が中心方向に絞られるような傾斜面を有する溝を周設したリング状のベースワッシャーを嵌着し、次いで同ボルトにナットを螺着緊締した後、該ナットの外径よりも内径の大きい円筒状のナットカバーを同ナットに被せ、該ナットカバーを前記ベースワッシャー方向に押すための押圧用ナットをボルトの端部から螺合することによりナットカバーをナットに装着するようにしたことを特徴とするナットカバーの装着方法。
【請求項２】
ナットカバーの端部側の周囲に複数のスリットを形成してあることを特徴とする請求項１記載のナットカバーの装着方法。
【発明の詳細な説明】
【技術分野】
【０００１】  本発明は、ナットが不正に緩められて取り外されることがないようにするナットカバーの装着方法に関するものである。
【背景技術】
【０００２】
【特許文献１】  登録実用新案第３０５４５４３号公報
【発明の開示】
【発明が解決しようとする課題】
【０００３】  従来から、関係者以外の者がナットをいたずらや故意に緩めることを防止し、既設送電線の鉄塔が倒壊するような事故やボルト、ナットで緊締されている物品の不法な分解を防ぐためのナットカバーが登録実用新案第３０５４５４３号公報等に記載されるように多数発明されている。【０００４】  然しながら、この登録実用新案第３０５４５４３号等に記載されるナットカバーは殆ど有底円筒状のもので、且つ、端部に内向きの係止部を周設する必要があって、加工費が高価となるだけでなく、ナットカバーの肉厚を大きくすれば破壊に対する強度は増すので、防犯上有効ではあるが、ハンマー等で叩き込んで装着するものであったため、作業中変形したり、ナットカバーの肉厚を厚くし過ぎると装着が困難となったりするという問題点があった。
【発明の目的】
【０００５】  本発明は、上記問題点を解決するために、押圧用のナットを使用して強度的に強い即ち厚みのある円筒状のナットカバーであっても簡単に装着することができるナットカバーの装着方法を提供することにある。
【課題を解決するための手段】
【０００６】  本発明に係るナットカバーの装着方法は、緊締用のナットを螺着すべきボルトに、円筒状のナットカバーの端部が嵌入し、同ナットカバーが被着物方向に押されることによってその端部が中心方向に絞られるような傾斜面を有する溝を周設したリング状のベースワッシャーを嵌着し、次いで同ボルトにナットを螺着緊締した後、該ナットの外径よりも内径の大きい円筒状のナットカバーを同ナットに被せ、該ナットカバーを前記ベースワッシャー方向に押すための押圧用ナットをボルトの端部から螺合することによりナットカバーをナットに装着するようにしたことを特徴とするものである。
【発明の作用】
【０００７】  本発明の方法では、ナットカバーを押圧用ナットで均等且つ強い力で被着物方向に押すことによりワッシャーの溝の作用でナットカバーの一端を中心方向に絞ってナットの側端部に係合させるようにしてあるので、作業中変形したりすることなく、また、肉厚の厚いナットカバーであっても誰でも簡単に装着することができるものである。
【実施例１】
【０００８】  図１は、本発明方法を実施するためのベースワッシャーの正面図、図２は、同ベースワッシャーの縦断側面図、図３は、本発明方法によるナットカバーの装着の手順を表わす説明図、図４は、本発明方法によってナットカバーを装着した状態の縦断側面図、図５は、他の実施例のナットカバーの縦断側面図である。【０００９】  図において、１は、本発明方法を実施するためのベースワッシャーであって、中央に緊締用のナット２を螺着すべきボルトＢを挿通するための孔１−１を有するリング状形状をしており、後述する円筒状のナットカバーの端部をナット２に係合させるための傾斜面１−２ａを有する溝１−２が周設されている。【００１０】  ３は、前記ベースワッシャー１の溝１−２の傾斜面１−２ａの作用により端部が窄まってナット２の一部に係合してナット２に対して空回りする同ナット２の外径よりも内径の大きい金属製の円筒状のナットカバーである。【００１１】  また、このナットカバー３は、図５のように端部側の周囲に複数のスリット３−１・・・３−１を形成しておけば、窄まり具合が均等になって肉厚のものでもスムーズに装着できる。【００１２】  ４は、前記ナットカバー３を被着物Ｗの方向に押すための押圧用ナットで、この押圧用ナット４はナットカバー３を押すために径の大きいフランジが付いたナットでもよいが、別体のワッシャー５を介して押すようにした方がナットカバー３に直接大きな回転力を与えずにナットカバー３を被着物Ｗの方向に押し付けることができてナット２との均等な係合が図れて好ましい。【００１３】  次に、本発明方法による装着方法を図について具体的に説明する。【００１４】  先ず、被着物Ｗから延びるボルトＢにベースワッシャー１を介して緊締用のナット２を螺着緊締する。【００１５】  次いで、ナットカバー３を同ナット２に被せ、該ナットカバー３を前記ベースワッシャー１の方向に押すための押圧用ナット４をワッシャー５を介してボルトＢの端部に螺合する。【００１６】  押圧用ナット４を螺回していくと、ナットカバー３はワッシャー５を介して被着物Ｗの方向へ押され、ナットカバー３の端部がベースワッシャー１の溝１−２に嵌入する。【００１７】  押圧用ナット４の螺回が進むと、ナットカバー３の端部がベースワッシャー１の溝１−２の傾斜面１−２ａの作用によって中央方向に窄まり、ナットカバー３の端部がナット２の側端部に係合して図３のナットカバー３の装着状態となる。【００１８】  この装着状態の侭でもよいが、この押圧用ナット４及びワッシャー５は簡単に取り外せて盗難されるので、ナットカバー３がナット２に装着された後は予め取り外しておくのがよい。【００１９】  この装着状態にあっては、ナットカバー３の端部がナット２の側端部に係合してボルトＢから抜き去ることができず、また、ナット２に対して空回りするので、ナットカバー３を破壊しない限りナット２を回転できず、いたずら乃至不法行為を防止できる。
【発明の効果】
【００２０】  以上述べたように、本発明のナットカバーの装着方法によれば、緊締用のナットを螺着すべきボルトに、円筒状のナットカバーの端部が嵌入し、同ナットカバーが被着物方向に押されることによってその端部が中心方向に絞られるような傾斜面を有する溝を周設したリング状のベースワッシャーを嵌着し、次いで同ボルトにナットを螺着緊締した後、該ナットの外径よりも内径の大きい円筒状のナットカバーを同ナットに被せ、該ナットカバーを前記ベースワッシャー方向に押すための押圧用ナットをボルトの端部から螺合することによりナットカバーをナットに装着するようにしたもので、ナットカバーを押圧用ナットによる強い力でベースワッシャーに周設された傾斜面を有する溝に押し付けてナットに係合させるようにしたものあるから、破壊強度の強い肉厚の厚いナットカバーであっても確実にナットに装着でき、ナットカバー自体も特殊な加工を必要としない円筒状でよいので、加工費も安価で済むという経済性においても優れるものである。
【００２１】  また、ナットカバーを押圧用ナットの螺回によって装着するものであるから、押圧用ナットを予め装着固定した電動工具を用意しておけば、従来の叩き込みによるナットカバーの装着方法に比べて熟練を要することなく迅速に装着作業を完了させることができ、作業費の低減効果も奏し得るものである。
【図面の簡単な説明】
【００２２】
【図１】  本発明方法を実施するためのベースワッシャーの正面図である。
【図２】  同ベースワッシャーの縦断側面図である。
【図３】  本発明方法によるナットカバーの装着の手順を表わす説明図である。
【図４】  本発明方法によってナットカバーを装着した状態の縦断側面図である。
【図５】  他の実施例のナットカバーの縦断側面図である。
【符号の説明】
【００２３】      １          ベースワッシャー
２          ナット
３          ナットカバー
４          押圧用ナット
５          ワッシャー
【図１】
2009058121.tif 000003
【図２】
2009058121.tif 000004
【図３】
2009058121.tif 000005
【図４】
2009058121.tif 000006
【図５】
2009058121.tif 000007